(57)【特許請求の範囲】
【請求項１】
アクセサリシューを備えた撮像装置であって、
前記アクセサリシューは、
前記アクセサリシューに装着されるアクセサリ機器に係合して、前記アクセサリ機器を保持する第１の係合部、第２の係合部及び第３の係合部が形成される係合部材と、
前記アクセサリ機器に設けられるアクセサリ側接点保持部材に保持されるアクセサリ側接点に電気的に接続可能な撮像装置側接点と、
前記撮像装置側接点を保持する撮像装置側接点保持部材とを有し、
前記第１及び第２の係合部は、前記アクセサリシューに前記アクセサリ機器を装着する際に、前記アクセサリ側接点保持部材がスライドするスペースを挟んで形成され、
前記第３の係合部は、前記第１及び第２の係合部よりも、前記アクセサリシューに前記アクセサリ機器を装着する方向の前側に形成され、
前記第３の係合部は、前記アクセサリシューに前記アクセサリ機器を装着する方向とは反対方向に向かって突出して、前記撮像装置側接点を覆い、
前記第３の係合部と前記撮像装置側接点保持部材との間に、前記アクセサリ側接点保持部材を挿入可能な係合スペースを形成し、
前記アクセサリシューに前記アクセサリ機器が装着され、前記アクセサリ側接点保持部材が前記係合スペースに挿入されるとき、前記第３の係合部は、前記アクセサリ側接点保持部材の前部を保持することを特徴とする撮像装置。
【請求項２】
前記撮像装置側接点保持部材には、前記アクセサリ側接点保持部材が前記係合スペースに挿入されるように案内する一対の案内壁面が形成され、
前記アクセサリシューの幅方向において、前記第１の係合部と前記第２の係合部間との間隔が前記一対の案内壁面の間の間隔よりも大きいことを特徴とする請求項１に記載の撮像装置。
【請求項３】
前記第３の係合部には開口が形成され、
前記撮像装置側接点は、前記係合スペースの外側から前記開口を通って前記係合スペースの内側に露出することを特徴とする請求項１または２に記載の撮像装置。
【請求項４】
前記第３の係合部には開口が形成され、
前記撮像装置側接点および前記一対の案内壁面は、前記係合スペースの外側から前記開口を通って前記係合スペースの内側に露出することを特徴とする請求項２に記載の撮像装置。
【発明の詳細な説明】
【技術分野】
【０００１】
本発明は、照明ライトやマイクロホン等のアクセサリ機器が装着されるアクセサリシューを有する撮像装置に関する。
【背景技術】
【０００２】
ビデオカメラ等の撮像装置には、被写体を照明するライトや音声を記録するためのマイクロホンといったアクセサリ機器を装着するためのアクセサリシューを備えているものが多い（特許文献１，２参照）。
【０００３】
図１３には、従来の一般的なアクセサリシューを示す。アクセサリシューは、アクセサリ機器に係合してこれを保持する係合板１３００を有する。係合板１３００は、装着ベース面１３０１と、その両側に配置された一対の係合部（以下、カメラ側係合部という）１３０２とを有する。アクセサリシューの前端（係合板１３００よりも前側）には、電源供給や通信用の接点群（以下、カメラ側接点群という）１３０５が設けられており、該カメラ側接点群１３０５は接点保持部材１３０６によって保持されている。
【０００４】
一方、アクセサリ機器には、アクセサリシューに係合する係合部（以下、アクセサリ側係合部という）１３０４が設けられている。該アクセサリ側係合部１３０４の前側下面には、カメラ側接点群１３０５に電気的に接続される不図示のアクセサリ側接点群が設けられている。
【０００５】
アクセサリシューに対してアクセサリ機器を装着するためには、係合板１３００に対してアクセサリ機器を前方にスライドさせ、アクセサリ側係合部１３０４をカメラ側係合部１３０２と装着ベース面１３０１との間に挿入する。これにより、アクセサリ側係合部１３０４とカメラ側係合部１３０２とが係合する。
【０００６】
また、アクセサリ機器を、アクセサリ側係合部１３０４の全体がカメラ側係合部１３０２の全体に対して係合する位置までスライドさせることにより、アクセサリ側接点群がカメラ側接点群１３０５に電気的に接続される。
【特許文献１】特開２００５−３１５９８９号公報
【特許文献２】特開２００６−７９０５３号公報
【発明の開示】
【発明が解決しようとする課題】
【０００７】
上記のようなアクセサリシューでは、該アクセサリシューに装着されたアクセサリ機器のがたつきを抑えるとともに、アクセサリ機器とのある程度の連結強度を確保するために、アクセサリ機器のスライド方向に長い係合部を設ける必要がある。このため、アクセサリシューが大型化し、このことが撮像装置の小型化を妨げる。
【０００８】
また、アクセサリ機器をアクセサリシューに装着する際には、係合部の長さに相当する長いスペース（図１３に符号１３０３で示すスペース：以下、係合前スペースという）をアクセサリシューの後方に設ける必要があった。そして、このような長い係合前スペースを撮像装置上に設けることは、撮像装置の小型化をますます妨げることになる。
【０００９】
本発明は、小型で、アクセサリ機器の装着に必要な係合前スペースを小さくすることが可能なアクセサリシューを備えた撮像装置を提供する。
【課題を解決するための手段】
【００１０】
本発明の一側面としての撮像装置は、アクセサリシューを備えた撮像装置であって、前記アクセサリシューは、前記アクセサリシューに装着されるアクセサリ機器に係合して、前記アクセサリ機器を保持する第１の係合部、第２の係合部及び第３の係合部が形成される係合部材と、前記アクセサリ機器に設けられるアクセサリ側接点保持部材に保持されるアクセサリ側接点に電気的に接続可能な撮像装置側接点と、前記撮像装置側接点を保持する撮像装置側接点保持部材とを有し、前記第１及び第２の係合部は、前記アクセサリシューに前記アクセサリ機器を装着する際に、前記アクセサリ側接点保持部材がスライドするスペースを挟んで形成され、前記第３の係合部は、前記第１及び第２の係合部よりも、前記アクセサリシューに前記アクセサリ機器を装着する方向の前側に形成され、前記第３の係合部は、前記アクセサリシューに前記アクセサリ機器を装着する方向とは反対方向に向かって突出して、前記撮像装置側接点を覆い、前記第３の係合部と前記撮像装置側接点保持部材との間に、前記アクセサリ側接点保持部材を挿入可能な係合スペースを形成し、前記アクセサリシューに前記アクセサリ機器が装着され、前記アクセサリ側接点保持部材が前記係合スペースに挿入されるとき、前記第３の係合部は、前記アクセサリ側接点保持部材の前部を保持することを特徴とする。
【発明の効果】
【００１１】
本発明によれば、アクセサリ機器のスライド方向（装着方向）の長さが短い小型のアクセサリシューであって、アクセサリ機器の装着に必要な係合前スペースも小さいアクセサリシューを実現できる。したがって、該アクセサリシューを備えた撮像装置を小型化することができる。
【発明を実施するための最良の形態】
【００１２】
以下、本発明の好ましい実施例について図面を参照しながら説明する。
【００１３】
図１２には、本発明の実施例である撮像装置としてのビデオカメラの外観を示している。
【００１４】
図１２において、１２０はビデオカメラ本体、１２１はビデオカメラ１２０の電源であるバッテリパックである。また、１０１は後述する係合板、１０２は同様に接点保持部材である。
【００１５】
図１には、上記アクセサリシューを分解して示している。また、図２、図３及び図４には、組み立て完了状態のアクセサリシューをそれぞれ異なる方向から見て示している。さらに、図５には、該アクセサリシューの断面を示している。
【００１６】
以下の説明において、図５の断面における左側に相当する方向を「前」とし、同図の右側に相当する方向を「後」とする。「前」とは、ビデオカメラにおける被写体方向を示すとともに、アクセサリ機器がスライドして装着される装着方向を示す。
【００１７】
図１から図５において、１０１は係合部材としての係合板であり、ＳＰＣＣやＳＵＳ等の鋼板により一体形成されている。１０２は接点保持部材であり、ＰＢＴやＬＣＰ等の熱可塑性樹脂材料により一体形成されている。１０３は接点であり、リン青銅やチタン銅等のばね特性と導電性に優れた金属材料により形成されている。接点１０３は接点保持部材１０２によって保持される。
【００１８】
以下の説明では、カメラ側の構成部品に関しては各名称の前に「カメラ側」を付記し、アクセサリ機器側の構成部品に関しては各名称の前に「アクセサリ側」と付記する。
【００１９】
カメラ側係合板１０１は、平面状のスライド部（装着ベース面）１０１ｄと、該スライド部１０１ｄの上側スペースであるスライドスペース１０１ｓを挟んで配置された一対のカメラ側係合部（第１の係合部及び第２の係合部）１０１ａ，１０１ｂとを有する。カメラ側係合部１０１ａ、１０１ｂは、スライド部１０１ｄに対して上方に折り曲げられ、さらにその先の部分がスライドスペース１０１ｓの内側に突出するように（互いに向かい合うように）スライド部１０１ｄに対して平行に折り曲げられている。以下、カメラ側係合部１０１ａ、１０１ｂの配置方向（スライドスペース１０１ｓを挟む方向）を、シュー幅方向という。
【００２０】
また、カメラ側係合板１０１におけるカメラ側係合部１０１ａ、１０１ｂよりも装着方向前側には、カメラ側係合部（第３の係合部）１０１ｃが形成されている。このカメラ側係合部１０１ｃは、スライド部１０１ｄに対して上方に折り曲げられ、さらにその先の部分が後方に突出するように（装着方向とは反対方向に又は係合部１０１ａ、１０１ｂに向かうように）スライド部１０１ｄに対して平行に折り曲げられている。
【００２１】
さらに、カメラ側係合板１０１におけるカメラ側係合部１０１ｃの下側には、開口１０１ｅが形成されている。
【００２２】
カメラ側接点保持部材１０２の前部（以下、接点保持部という）１０２ｘは、該開口１０１ｅにカメラ側係合板１０１の下側から挿入される。これにより、カメラ側係合部１０１ｃのうちスライド部１０１ｄに対して平行に折り曲げられた先端部（以下、折り曲げ先端部という）とカメラ側接点保持部材１０２の接点保持部１０２ｘとが上下方向にて向かい合うように配置される。カメラ側係合部１０１ｃの折り曲げ先端部とカメラ側接点保持部材１０２の接点保持部１０２ｘとの間には、スライドスペース１０１ｓにつながる係合スペース１０１ｔが形成される。カメラ側接点保持部材１０２の接点保持部１０２ｘとここに保持されたカメラ側接点１０３の上面（接触部１０３ａ）は、係合スペース１０１ｔの外側から開口１０１ｅを通って係合スペース１０１ｔの内側に露出する。
【００２３】
カメラ側接点保持部材１０２の接点保持部１０２ｘとここに保持されたカメラ側接点１０３とにより、後述するアクセサリ側コネクタに電気的に接続されるカメラ側コネクタ（撮像装置側コネクタ）が構成される。
【００２４】
さらに、カメラ側係合板１０１のスライド部１０１ｄには、位置決め用孔部１０１ｆ、１０１ｇと、固定用孔部１０１ｈ、１０１ｉ、１０１ｊとが形成されている。位置決め用孔部１０１ｆ、１０１ｇは、カメラ側接点保持部材１０２の上面に形成された突起１０２ａ、１０２ｂが下方から挿入されることで、カメラ側係合板１０１とカメラ側接点保持部材１０２との位置決めを行う。また、固定用孔部１０１ｈ、１０１ｉ、１０１ｊには、カメラ側係合板１０１をカメラ本体に対して固定するためのビス１１１ａ、１１１ｂ、１１１ｃが上方から挿入される。
【００２５】
カメラ側接点保持部材１０２は、アクセサリ機器への電源供給やアクセサリ機器との通信信号のやり取りを行うための複数のカメラ側接点１０３をシュー幅方向に所定ピッチで並べて保持する。カメラ側接点保持部材１０２は、隣接するカメラ側接点１０３の間に仕切り壁を有してカメラ側接点１０３同士がショートすることを防止している。
【００２６】
図５に示すように、カメラ側接点保持部材１０２の接点保持部１０２ｘには、接点係合部１０２ｅ、接点係止部１０２ｆ、１０２ｇ及び接点抜け防止部１０２ｋが形成されている。
【００２７】
接点係合部１０２ｅは、二股形状に形成されたカメラ側接点１０３における股部の内側に係合して該カメラ側接点１０３を保持する。接点係止部１０２ｆ、１０２ｇは、カメラ側接点１０３の２つの脚部（以下、接触部という）１０３ａ，１０３ｂをチャージ状態（弾性変形状態）で保持するよう、該接触部１０３ａ，１０３ｂの端部１０３ｆ、１０３ｇと係合する。
【００２８】
接触部１０３ａは、後述するアクセサリ側接点６０３と接触する。このため、接触部１０３ａがアクセサリ側接点６０３との非接触状態（初期状態）でチャージされることで、アクセサリ側接点６０３と接触したときに安定した接触圧（付勢力）を確保することができる。
【００２９】
一方、接触部１０３ｂは、不図示のカメラ本体側の基板（フレキシブル基板）ＦＰＣと接触する。このため、接触部１０３ｂが該基板ＦＰＣとの非接触状態でチャージされることで、基板ＦＰＣと接触したときに安定した接触圧（付勢力）を確保することができる。
【００３０】
接点抜け防止部１０２ｋは、楔形の断面形状を有し、カメラ側接点１０３がカメラ側接点保持部材１０２から脱落することを防止する。
【００３１】
また、カメラ側接点保持部材１０２の上面１０２ｌは、カメラ側係合板１０１の下面と当接する。この上面１０２ｌには、前述した突起１０２ａ，１０２ｂが形成されている。さらに、カメラ側接点保持部材１０２の下面１０２ｍには、カメラ本体に対する位置決めに使用される突起１０２ｃ、１０２ｄが形成されている。
【００３２】
さらに、カメラ側接点保持部材１０２には、固定用孔部１０２ｈ、１０２ｉ、１０２ｊが形成されており、これら固定用孔部１０２ｈ、１０２ｉ、１０２ｊには、前述したビス１１１ａ、１１１ｂ、１１１ｃが挿入される。
【００３３】
カメラ側接点保持部材１０２の接点保持部１０２ｘの上面には、複数のカメラ側接点１０３の接触部１０３ａ及び前述した係合スペース１０１ｔをシュー幅方向にて挟むように形成されて前後方向に延びる案内壁面１０２ｎ、１０２ｏが形成されている。
【００３４】
案内壁面１０２ｎ、１０２ｏは、前述した係合スペース１０１ｔに後述するアクセサリ側接点保持部材６０１が挿入される際に、該アクセサリ側接点保持部材６０１の案内壁面６０１ｎ、６０１ｏをガイドする。これにより、カメラ側接点保持部材１０２とアクセサリ側接点保持部材６０１とのシュー幅方向での位置ずれやがたつきが防止される。つまり、カメラ側接点保持部材１０２に保持されたカメラ側接点１０３と、アクセサリ側接点保持部材６０１により保持された、該カメラ側接点１０３に対応するアクセサリ側接点６０３とを正確に接触させることができる。
【００３５】
図６には、本実施例のアクセサリシューに装着されるアクセサリ機器に設けられたシュー装着部を分解して示す。また、図７、図８及び図９には、シュー装着部をそれぞれ異なる方向から見て示している。図１０は、シュー装着部の断面を示す。
【００３６】
以下の説明において、図１０の断面における左側に相当する方向を「前」とし、同図の右側に相当する方向を「後」とする。「前」とは、ビデオカメラにおける被写体方向に対応した方向を示すとともに、該アクセサリ機器がスライドしてアクセサリシューに装着される装着方向を示す。アクセサリ機器としては、被写体照明用のビデオライトやフラッシュライト、画像とともに音声を記録するためのマイクロホン等がある。
【００３７】
図６から図１０において、６０１はアクセサリ側接点保持部材であり、ＰＢＴやＬＣＰ等の熱可塑性樹脂材料により一体形成されている６０２はアクセサリ側カバー部材であり、ＰＢＴやＬＣＰ等の熱可塑性樹脂材料により一体形成されている。６０３はアクセサリ側接点であり、リン青銅やチタン銅等のばね特性と導電性に優れた金属材料により形成されている。
【００３８】
アクセサリ側接点保持部材６０１は、アクセサリ側接点６０３及び中継基板６０４をそれぞれ保持する接点保持部６０１ｘ及び中継基板保持部６０１ｙを有するとともに、アクセサリ側係合部６０１ａ、６０１ｂ、６０１ｃ、６０１ｄを有する。
【００３９】
アクセサリ側係合部６０１ａ、６０１ｂは、アクセサリ側接点保持部材６０１の後部左右に設けられている。「左右」とは、前述したシュー幅方向に対応する方向であり、以下の説明ではアクセサリ幅方向という。アクセサリ側係合部６０１ａ、６０１ｂは、カメラ側係合部１０１ａ、１０１ｂにおけるスライド部１０１ｄと平行に延びる先端部（以下、折り曲げ先端部という）とスライド部１０１ｄとの間に挿入されて、カメラ側係合部１０１ａ、１０１ｂと係合する。これにより、アクセサリ側接点保持部材６０１の後部がアクセサリシュー（カメラ側係合部板１０１）によって保持される。
【００４０】
接点保持部６０１ｘは、アクセサリ側接点保持部材６０１の前部に設けられており、カメラからの電源供給を受けたりカメラとの通信信号のやり取りを行ったりするための複数のアクセサリ側接点６０３をアクセサリ幅方向に所定ピッチで並べて保持する。
【００４１】
接点保持部６０１ｘのアクセサリ幅方向の両側面には、前述した案内壁面６０１ｎ、６０１ｏが形成されている。案内壁面６０１ｎ、６０１ｏは、アクセサリ側係合部６０１ａ、６０１ｂが形成された位置からまっすぐ前方に向かって延びている。つまり、接点保持部６０１ｘは、アクセサリ側係合部６０１ａ、６０１ｂが形成された位置からアクセサリ幅方向において一定の幅をもって前方に延びている。接点保持部６０１ｘには、後述する複数のアクセサリ側接点６０３が保持される。接点保持部６０１ｘとアクセサリ側接点６０３とにより、アクセサリ側コネクタが構成される。
【００４２】
接点保持部６０１ｘにおける複数のアクセサリ側接点６０３を挟んだアクセサリ幅方向両側の上部には、アクセサリ側係合部６０１ｃ、６０１ｄが形成されている。アクセサリ側係合部６０１ｃ、６０１ｄは、接点保持部６０１ｘとともにカメラ側係合部１０１ｃの下側に形成された係合スペース１０１ｔに挿入されてカメラ側係合部１０１ｃと係合する。これにより、アクセサリ側接点保持部材６０１の前部がアクセサリシュー（カメラ側係合部板１０１）によって保持される。
【００４３】
アクセサリ側接点保持部材６０１の前側底面には、凹部６０１ｚが形成されており、凹部６０１ｚには、複数のアクセサリ側接点６０３の接触部６０３ａを露出させる複数の孔６０１ｖが形成されている。
【００４４】
また、アクセサリ側接点保持部材６０１の後端上面には、凸部６０１ｕが形成されている。凸部６０１ｕは、アクセサリ機器がカメラ側係合板１０１に対して前後逆向きに挿入されようとした場合に、カメラ側係合部１０１ａ、１０１ｂの後端面に当接することで、該挿入を阻止する。
【００４５】
アクセサリ側カバー部材６０２は、接点保持部６０１ｘ及びアクセサリ側接点６０３の上面を覆うようにアクセサリ側接点保持部材６０１に取り付けられ、アクセサリ側接点６０３を保護するとともに、アクセサリ側接点６０３のがたつきを防止する。すなわち、アクセサリ側カバー部材６０２は、アクセサリ側接点６０３の接触部６０３ａとは反対側の面を押さえ、該接触部６０３ａがカメラ側接点１０３と当接したときにアクセサリ側接点６０３が撓むことを防止している。
【００４６】
アクセサリ側接点６０３は、前述したようにカメラ側接点１０３（接触部１０３ａ）と接触する接触部６０３ａと、中継基板６０４と接触する接触部６０３ｂとを有する。接触部６０３ｂは、中継基板６０４と当接することでチャージ状態となって付勢力を発生する。これにより、中継基板６０４に対する接触圧を確保している。
【００４７】
アクセサリ側接点６０３における両接触部６０３ａ、６０３ｂの間には、他の部分に比べて前後方向に大きな長さを有する保持部６０３ｃが形成されている。該保持部６０３ｃは、アクセサリ側接点保持部材６０１の接点保持部６０１ｘにおける後側上部に形成された不図示の溝部に挿入される。これにより、アクセサリ側接点６０３がアクセサリ側接点保持部材６０１によって保持される。
【００４８】
中継基板６０４は、アクセサリ側接点６０３を介してカメラ側から供給された電源をアクセサリ機器内に設けられた不図示の制御基板に送ったり、該制御基板とカメラとの通信を中継したりする。中継基板６０４の両面には配線パターンが形成されており、片面にはハーネス用コネクタが設けられている。該ハーネス用コネクタは、不図示のハーネスと結合されている。
【００４９】
６０５はクリックばねであり、ＳＵＳ鋼板、ばね用リン青銅板等のばね特性に優れた金属材料により形成されている。クリックばね６０５は、アクセサリ側カバー部材６０２に設けられた突起６０２ｙに係合して位置決めされる。クリックばね６０５は、アクセサリ側接点保持部材６０１のアクセサリ幅方向両側に形成された開口６０１ｔを通ってアクセサリ側係合部６０１ａ、６０１ｂの上部に突出している。
【００５０】
クリックばね６０５は、アクセサリ機器のアクセサリシューへの装着（挿入）時に、カメラ側係合部１０１ａ，１０１ｂの折り曲げ先端部の先端面に当接して弾性変形し、該内端面に対してスライドする。そして、アクセサリ機器がアクセサリシューに対して所定の装着位置まで挿入されたときに、カメラ側係合部１０１ａ，１０１ｂの折り曲げ先端部の先端面との当接が外れることでクリック感を発生する。これにより、ユーザは、アクセサリ機器がアクセサリシューに対して所定の位置まで挿入されたことを認識させる。
【００５１】
６０６はロック部材であり、ＰＣやＡＢＳ等の熱可塑性樹脂材料により形成されている。ロック部材６０６の最下面には、複数の突起６０６ａ、６０６ｂ、６０６ｃ、６０６ｄが設けられている。ロック部材６０６は、後述するロックナット６０７の回動に伴って上下方向に直線的に移動する。
【００５２】
突起部６０６ａ、６０６ｂ、６０６ｃ、６０６ｄは、カメラ側係合板１０１に設けられたカメラ側係合部１０１ａ、１０１ｂ、１０１ｃの上面にそれぞれ当接することで、アクセサリ機器がカメラ側係合板１０１から脱落することを防止する。
【００５３】
ロック部材６０６は、アクセサリ側接点保持部材６０１とアクセサリ側カバー部材６０２にそれぞれ設けられたガイド用突起とガイド用溝部とが係合することによって、上下方向に直線的にガイドされる。
【００５４】
ロックナット６０７は、ＰＣやＡＢＳ等の熱可塑性樹脂材料により形成されており、その内周部には雌ねじが形成されている。ロックナット６０７の外周部には、ユーザによる回動操作性を向上させるために、ローレット加工が施されている。
【００５５】
ロックナット６０７を回動させることにより、前述したようにロック部材６０６はアクセサリ側接点保持部材６０１に対して上下方向に直線的に移動する。
【００５６】
６０８は蓋リングであり、ＰＣやＡＢＳ等の熱可塑性樹脂材料により形成されている。蓋リング６０８は、ロックナット６０７にロック部材６０６を挿入した状態で、ロック部材６０６がロックナット６０７から外れないように下方から蓋をする。
【００５７】
６０９は連結部材であり、ＰＣやＡＢＳ等の熱可塑性樹脂材料により形成されている。連結部材６０９の外周部には、ロックナット６０７の内周部に形成された雌ねじにかみ合う雄ねじが形成されている。
【００５８】
連結部材６０９は、その底面部に、位置決め用突起６０９ｇと、固定用孔６０９ｈ、６０９ｉとを有する。位置決め用突起６０９ｇは、該連結部材６０９のアクセサリ側接点保持部材６０１及びアクセサリ側カバー部材６０２に対する位置決めを行うためにこれらに形成された孔６０１ｇに挿入される。また、固定用孔部６０９ｈ、６０９ｉには、連結部材６０９をアクセサリ側接点保持部材６０１及びアクセサリ側カバー部材６０２に対して固定するためのビス６１１ａ、６１１ｂが挿入される。
【００５９】
さらに、連結部材６０９の上部には、該連結部材６０９とアクセサリ機器本体とを連結する構造を有するが、ここでの説明は省略する。
【００６０】
以上のように構成されたシュー装着部は、アクセサリシューに対して、図１１に示すように装着される。
【００６１】
シュー装着部（アクセサリ機器）のアクセサリシューに対する装着手順を以下に説明する。
【００６２】
まず、ロックナット６０７を回動させて、ロック部材６０６を上方向の所定位置まで移動させる。ここにいう所定位置とは、シュー装着部をアクセサリシューに装着したときに、ロック部材６０６に設けられた突起６０６ａ、６０６ｂ、６０６ｃ、６０６ｄがカメラ側係合板１０１のカメラ側係合部１０１ａ，１０１ｂ，１０１ｃに当接しない位置である。
【００６３】
次に、シュー装着部（アクセサリ側接点保持部材６０１）の底面とカメラ側係合板１０１に設けたスライド部１０１ｄとが向かい合うようシュー装着部とアクセサリシューの位置を合わせる。このとき、アクセサリ側コネクタ（アクセサリ側接点保持部材６０１の前部）をカメラ側係合部１０１ａ，１０２ｂ間のスペースの上方に位置させる。これにより、アクセサリ側係合部６０１ａ、６０１ｂは、カメラ側係合部１０１ａ，１０２ｂよりも若干後方上側に位置することになる。この状態を、以下の説明では装着前状態という。
【００６４】
ここで、図３に示すように、アクセサリシューにおけるカメラ側係合部１０１ａ、１０１ｂ間のシュー幅方向での間隔（両係合部１０１ａ、１０１ｂの折り曲げ先端部間の間隔：以下、カメラ側係合部間隔という）をＷ１とする。また、カメラ側コネクタ（１０２ｘ，１０３）のシュー幅方向での幅、すなわち案内壁面１０２ｎ、１０２ｏ間の幅（以下、カメラ側コネクタ幅という）をＷ２とする。さらに、案内壁面１０２ｎ、１０２ｏの後端からカメラ側係合部１０１ａ、１０１ｂの後端までの前後方向長さ（以下、スライドスペース長という）をＬ１とする。
【００６５】
一方、図７に示すように、アクセサリ側コネクタ（６０１ｘ、６０３）のアクセサリ幅方向での幅、すなわち案内壁面６０１ｎ、６０１ｏ間の幅（以下、アクセサリ側コネクタ幅という）をＷ２′とする。さらに、アクセサリ側接点保持部材６０１におけるアクセサリ側係合部６０１ａ、６０１ｂの前端からアクセサリ側コネクタの前端までの長さ（以下、アクセサリ側コネクタ長という）をＬ１′とする。
【００６６】
このとき、カメラ側コネクタ幅Ｗ２は、アクセサリ側コネクタ幅Ｗ２′と同じに又は若干大きく設定されている。また、カメラ側係合部間隔Ｗ１は、幅Ｗ２′よりも大きく（間隔Ｗ２よりも大きく）設定されている。さらに、長さＬ１は、長さＬ１′よりも若干長く設定されている。
【００６７】
このように、本実施例では、カメラ側係合部間隔Ｗ１がアクセサリ側コネクタ幅Ｗ２′よりも大きく設定されている。このため、上記装着前状態からシュー装着部をそのまま下方に移動させると、アクセサリ側コネクタはカメラ側係合部１０１ａ，１０２ｂ間のスペースを通過してスライドスペース１０１ｓに挿入される。
【００６８】
また、スライドスペース長Ｌ１に対してアクセサリ側コネクタ長Ｌ１′が若干長いだけであるので、アクセサリ側コネクタの前端をカメラ側係合部１０１ｃに近接させることもできる。以下、この状態をスライド前状態という。
【００６９】
つまり、カメラ側係合部間隔Ｗ１が、幅Ｗ２′を有するアクセサリ側コネクタを通過させることができる大きさに設定されていることで、装着前状態及びスライド前状態でのシュー装着部とアクセサリシューとの重なりを大きくすることができる。
【００７０】
そして、上記スライド前状態からシュー装着部を前方にスライドさせることで、アクセサリ側コネクタは、カメラ側係合部１０１ｃとカメラ側コネクタとの間に形成された係合スペース１０１ｔに挿入され、カメラ側係合部１０１ｃと係合する。また、アクセサリ側係合部６０１ａ、６０１ｂは、カメラ側係合部１０１ａ，１０２ｂとスライド部１０１ｄとの間に入り込んで、カメラ側係合部１０１ａ，１０２ｂと係合する。このときのスライド量は、図１３に示した従来例のようにシュー装着部の全体をアクセサリシューよりも後方からスライドさせる場合に比べて大幅に小さい。
【００７１】
アクセサリ側コネクタが係合スペース１０１ｔの奥まで挿入され、カメラ側係合部１０１ｃの前壁部分に突き当たると、アクセサリ側接点部６０３の接触部６０３ａがカメラ側接点１０３の接触部１０３ａに接触する。さらに、上記クリックばね６０５によるクリック感が発生する。
【００７２】
続いて、ロックナット６０７を回動させてロック部材６０６を下動させることで、ロック部材６０６下面に設けられた突起６０６ａ、６０６ｂ、６０６ｃ、６０６ｄをカメラ側係合部１０１ａ、１０１ｂ、１０１ｃの上面にそれぞれ押し付ける。
【００７３】
以上の操作により、カメラへのアクセサリ機器の装着が完了する。カメラは、アクセサリ機器が装着されたことを認識し、カメラからアクセサリ機器への電源供給と両者間での通信が開始される。
【００７４】
カメラからアクセサリ機器を取り外す場合には、上記操作と逆の操作を行えばよい。
【００７５】
以上のように本実施例では、カメラ側係合板１０１に、アクセサリ機器のシュー装着部に係合する部分として、スライドスペース１０１ｔを挟む係合部１０１ａ、１０１ｂと、これらより前側に設けられ、後方に向かって突出する係合部１０１ｃとを設けている。そして、係合部１０１ｃは、該係合部１０１ｃとカメラ側コネクタとの間に形成された係合スペース１０１ｔに挿入されたアクセサリ側コネクタに係合するように構成している。これにより、従来のアクセサリシューに比べて前後方向の長さが短く、シュー装着部のスライド量（つまりはアクセサリシューの後方に必要な係合前スペース）を小さくすることができるアクセサリシューを実現できる。
【００７６】
また、カメラ側係合部１０１ａ、１０１ｂ間の間隔（カメラ側係合部間隔：第１及び第２の係合部間の間隔）をアクセサリ側コネクタ幅よりも大きく設定したことで、スライド前状態でのシュー装着部とアクセサリシューとの重なり量を大きくすることができる。したがって、シュー装着部のスライド量及び係合前スペースをより小さくすることができる。
【００７７】
そして、このように小型で係合前スペースを大きく必要としないアクセサリシューを用いることで、カメラの小型化を図ることができる。
【００７８】
なお、上記実施例では、アクセサリシューを備えたビデオカメラについて説明したが、本発明は、一眼レフカメラ、コンパクトカメラ等、他の撮像装置にも適用することができる。
【００７９】
以上説明した各実施例は代表的な例にすぎず、本発明の実施に際しては、各実施例に対して種々の変形や変更が可能である。
【図面の簡単な説明】
【００８０】
【図１】本発明の実施例であるアクセサリシューの分解斜視図。
【図２】実施例のアクセサリシューを前方上側から見た斜視図。
【図３】実施例のアクセサリシューを後方上側から見た斜視図。
【図４】実施例のアクセサリシューを前方下側から見た斜視図。
【図５】実施例のアクセサリシューの断面図。
【図６】実施例のアクセサリ側シュー装着部の分解斜視図。
【図７】実施例のシュー装着部を前方上側から見た斜視図。
【図８】実施例のシュー装着部を後方上側から見た斜視図。
【図９】実施例のシュー装着部を前方下側から見た斜視図。
【図１０】実施例のシュー装着部の断面図。
【図１１】実施例のシュー装着部をアクセサリシューに装着した状態を示す断面図。
【図１２】実施例のアクセサリシューを備えたビデオカメラの外観図。
【図１３】従来のビデオカメラに備えられたアクセサリシューの外観図。
【符号の説明】
【００８１】
１０１  カメラ側係合板
１０１ａ、１０１ｂ、１０１ｃ  カメラ側係合部
１０１ｄ  スライド部
１０１ｅ  開口部
１０２  カメラ側接点保持部材
１０２ｘ  接点保持部
１０２ｎ、１０２ｏ  案内壁面
１０３  カメラ側接点
１２０  ビデオカメラ本体
１２１  バッテリパック
６０１  アクセサリ側接点保持部材
６０１ａ、６０１ｂ、６０１ｃ、６０１ｄ  アクセサリ側係合部
６０１ｘ  接点保持部
６０３  アクセサリ側接点
６０６  ロック部材
６０７  ロックナット
６０９  連結部材
【図１】
0005106060.tif 000002
【図２】
0005106060.tif 000003
【図３】
0005106060.tif 000004
【図４】
0005106060.tif 000005
【図５】
0005106060.tif 000006
【図６】
0005106060.tif 000007
【図７】
0005106060.tif 000008
【図８】
0005106060.tif 000009
【図９】
0005106060.tif 000010
【図１０】
0005106060.tif 000011
【図１１】
0005106060.tif 000012
【図１２】
0005106060.tif 000013
【図１３】
0005106060.tif 000014